(57)【要約】【課題】  多目的トイレにおけるドア開閉及びドアロックを円滑に行うことができ、混乱が生じることがないようにした多目的トイレのドア開閉及びドアロックシステムを提供する。【解決手段】  多目的トイレのドア開閉及びドアロックシステムにおいて、トイレ外部に一般利用者と車椅子利用者とが共同で使用する電気式ドア開閉用機構が配置され、トイレ内部には、一般利用者が操作するドア先に位置する電気式ドア開閉用機構及び機械式ロック機構と、車椅子利用者が操作するトイレの便器の近傍の壁に位置する電気式ドア開閉用機構とが配置され、前記機械式ロック機構と電気式ロック機構を連動させるように構成した。【選択図】  図１
2010236253.tif 000002
【特許請求の範囲】
【請求項１】
トイレ外部に一般利用者と車椅子利用者とが共同で使用する電気式ドア開閉用機構が配置され、トイレ内部には、一般利用者が操作するドア先に位置する電気式ドア開閉用機構及び機械式ロック機構と、車椅子利用者が操作するトイレの便器の近傍の壁に位置する電気式ドア開閉用機構とが配置され、前記機械式ロック機構と電気式ロック機構を連動させるように構成したことを特徴とする多目的トイレのドア開閉及びドアロックシステム。
【請求項２】
請求項１記載の多目的トイレのドア開閉及びドアロックシステムにおいて、トイレの便器の近傍の壁に配置される電気式ドア開閉用機構としてドア開閉用ボタンが配置され、前記車椅子利用者による前記ドア開閉用ボタンの操作でドアの自動開閉と前記電気式ロック機構の自動施錠又は解錠を行うように構成したことを特徴とする多目的トイレのドア開閉及びドアロックシステム。
【請求項３】
請求項１記載の多目的トイレのドア開閉及びドアロックシステムにおいて、一般利用者が使う機械的ロック機構の解錠は前記ドア開扉用ボタンを操作すれば自動的に解除されることを特徴とする多目的トイレのドア開閉及びドアロックシステム。
【請求項４】
請求項１から３記載の多目的トイレのドア開閉及びドアロックシステムにおいて、前記車椅子利用者が操作する電気式ドア開閉用機構の上方の子供の手の届き難い位置に誤操作防止ボタンを配置するようにしたことを特徴とする多目的トイレのドア開閉及びドアロックシステム。
【請求項５】
請求項１から４の何れか一項記載の多目的トイレのドア開閉及びドアロックシステムにおいて、前記多目的トイレのドアの脇に押し逃げ防止用ドア通過センサを配置するようにしたことを特徴とする多目的トイレのドア開閉及びドアロックシステム。
【発明の詳細な説明】
【技術分野】
【０００１】
本発明は、多目的トイレのドア開閉及びドアロックシステムに関するものである。
【背景技術】
【０００２】
従来、車椅子利用者用トイレは車椅子利用者を配慮した自動ドアシステムである。つまり、ドアを開く時は開扉用スイッチ、ドアを閉じる時は閉扉用スイッチを用いており、ドア閉扉用スイッチを操作するとドアが閉まると同時に自動的に施錠され、ドア開扉用スイッチを操作すると解錠しドアが開くものになっている（下記特許文献１参照）。
【先行技術文献】
【特許文献】
【０００３】
【特許文献１】特開平６−９２６８３号公報
【発明の概要】
【発明が解決しようとする課題】
【０００４】
しかしながら、特に、列車内多目的トイレ、特に近郊車両ではトイレが少なく、一般利用者用トイレと多目的トイレが兼用されていることが多い。両者はトイレのドアの開閉及びロックの方法が異なるため、混乱が生じるといった問題があった。
【０００５】
例えば、多目的トイレは車椅子利用者の利便性を考慮して、電動ドアとなっているが、その操作部が入口から離れた場所にあるため、高齢者や視覚障害者を含む一般利用者が、ドアから離れた位置のスイッチを見つけられなかったり、操作にとまどうことがある。
【０００６】
また、従来の電気ロック方式は施錠時に音がせず、鍵がかかったことのフィードバックがないため、多目的トイレでは自動的にロックがかかるという知識のない一般利用者にとって、鍵がかかったかどうかわからずに不安に感じるという問題がある。
【０００７】
これを回避するために、電気ロック方式に加えて、施錠されたことがわかりやすい機械式ロックを多目的トイレのドアに取り付けている。これによりドアの施錠・解錠は電気式ロック機構と機械式ロック機構との二重ロック方式となる。そのため、機械式ロック機構及び電気式ロック機構の両方を操作する一般利用者もおり、両方のロックを解錠しないとドアは開かないため、片方を解錠した後トイレ内に閉込められたと勘違いするなどのトラブルが発生している。
【０００８】
また、このように二重ロック方式にした場合、自動で施錠される電気式ロック機構のみを利用する車椅子利用者が、機械式ロック機構が未施錠であることを見て不安になることが考えられる。
【０００９】
また、上記した自動ロック方式では、トイレ内部でドア閉扉用スイッチを操作してから利用者が素早く外に出ると、中に誰もいないのにロックされた状態、いわゆる押し逃げ状態となり、他の人がトイレを利用できなくなることが問題となっている。このため、鉄道車両内の多目的トイレでは、ドア開閉用機構とドアのロック機構を分けて設置していることがある。この場合、鍵の掛け忘れが発生しやすいという問題がある。
【００１０】
本発明は、上記状況に鑑みて、多目的トイレにおけるドア開閉及びドアロックを円滑に行うことができ、混乱が生じることがないようにした多目的トイレのドア開閉及びドアロックシステムを提供することを目的とする。
【課題を解決するための手段】
【００１１】
本発明は、上記目的を達成するために、
〔１〕多目的トイレのドア開閉及びドアロックシステムにおいて、トイレ外部に一般利用者と車椅子利用者とが共同で使用する電気式ドア開閉用機構が配置され、トイレ内部には、一般利用者が操作するドア先に位置する電気式ドア開閉用機構及び機械式ロック機構と、車椅子利用者が操作するトイレの便器の近傍の壁に位置する電気式ドア開閉用機構とが配置され、前記機械式ロック機構と電気式ロック機構を連動させるように構成したことを特徴とする。
【００１２】
〔２〕上記〔１〕記載の多目的トイレのドア開閉及びドアロックシステムにおいて、前記車椅子利用者はトイレの近傍の壁に配置されるドア開閉扉用ボタンとロック装置が配置され、前記ドア開閉扉用ボタンで自動ロックを行うように構成したことを特徴とする。
【００１３】
〔３〕上記〔１〕記載の多目的トイレのドア開閉及びドアロックシステムにおいて、一般利用者が使う機械的ロック機構の解錠は前記ドア開扉用ボタンを操作すれば自動的に解除されることを特徴とする。
【００１４】
〔４〕上記〔１〕から〔３〕記載の多目的トイレのドア開閉及びドアロックシステムにおいて、前記車椅子利用者用のドア開閉用ボタンの上方の子供の手の届き難い位置に誤操作防止ボタンを配置するようにしたことを特徴とする。
【００１５】
〔５〕上記〔１〕から〔４〕の何れか一項記載の多目的トイレのドア開閉及びドアロックシステムにおいて、前記多目的トイレのドアの脇に押し逃げ防止用ドア通過センサを配置するようにしたことを特徴とする。
【発明の効果】
【００１６】
本発明によれば、車椅子利用者も高齢者や視覚障害者を含む一般的利用者も多目的トイレにおけるドア開閉及びドアロックを円滑に行うことができ、混乱が生じることがない。
【００１７】
また、電気式ロック機構と機械的ロック機構とがそれそれ配置され、これらの２つのロック機構が連動する。そのため、電気式ロック機構に不慣れな一般利用者が機械的ロック機構のみを解錠して外に出ようととし、トイレ内に閉じ込められたと勘違いしたり、機械的ロック機構を操作できない車椅子利用者が未施錠の機械的ロック機構を見て不安になることがない。
【００１８】
さらに、ドア脇に設置される押し逃げ防止用ドア通過センサの設置により押し逃げを回避することができる。
【図面の簡単な説明】
【００１９】
【図１】本発明の第１実施例を示す多目的トイレの平面図である。
【図２】図１のＡ−Ａ線矢視図である。
【図３】図１のＢ−Ｂ線矢視図である。
【図４】本発明の第１実施例を示す多目的トイレのドア開閉及びドアロックシステムのブロック図である。
【図５】本発明の多目的トイレの内部の車椅子利用者用電気式操作部を示す図面代用写真である。
【図６】本発明の多目的トイレの内部の一般利用者操作部を示す図面代用写真である。
【図７】本発明の多目的トイレの外部の電気式操作部を示す図面代用写真である。
【図８】本発明の第２実施例を示す多目的トイレの誤操作防止ボタン（チャイルドロック）を示す図である。
【図９】本発明の第３実施例を示す多目的トイレの押し逃げ防止装置を示す図である。
【図１０】本発明の多目的トイレの内部に設けられる一般利用者操作部の配置例とその操作状態を示す図である。
【図１１】本発明の多目的トイレの内部に設けられる車椅子利用者用電気式操作部の配置例とその操作状態を示す図である。
【図１２】本発明の多目的トイレの外部に設けられる電気式操作部の配置例とその操作状態を示す図である。
【発明を実施するための形態】
【００２０】
本発明の多目的トイレのドア開閉及びドアロックシステムは、トイレ外部に一般利用者と車椅子利用者とが共同で使用する電気式ドア開閉用機構が配置され、トイレ内部には、一般利用者が操作するドア先に位置する電気式ドア開閉用機構及び機械式ロック機構と、車椅子利用者が操作するトイレの便器の近傍の壁に位置する電気式ドア開閉用機構とが配置され、前記機械式ロック機構と電気式ロック機構を連動させるように構成した。
【実施例】
【００２１】
以下、本発明の実施の形態について詳細に説明する。
【００２２】
図１は本発明の第１実施例を示す多目的トイレの平面図、図２は図１のＡ−Ａ線矢視図、図３は図１のＢ−Ｂ線矢視図、図４は本発明の実施例を示す多目的トイレのドア開閉及びドアロックシステムのブロック図、図５は本発明の多目的トイレの内部の車椅子利用者用電気式操作部を示す図面代用写真、図６はその多目的トイレの内部の一般利用者用操作部を示す図面代用写真、図７はその多目的トイレの外部の電気式操作部を示す図面代用写真である。
【００２３】
これらの図において、１は多目的トイレ、２は多目的トイレ１の便器、３は多目的トイレ１の手すり、４は多目的トイレ１の洗浄用の水タンク、５は多目的トイレ１のドア、６は多目的トイレ１の壁面、７は多目的トイレ１のドア内部のドア先に配置されるドア５の一般利用者用操作部であり、７Ａは電気式ドア開扉用ボタン、７Ｂは電気式ドア閉扉用ボタン、７Ｃは機械式ロック操作部、７Ｄはロック状態表示装置である。８は多目的トイレ１の壁面６に配置されるドア５の車椅子利用者用電気式操作部、８Ａは電気式ドア開扉用ボタン、８Ｂは電気式ドア閉扉用ボタン、８Ｃはロック状態表示装置、９は多目的トイレ１内部の壁面６に配置される機械式ロック機構又は電気式ロック機構のどちらでも使用できることを表示した案内プレート、１０は多目的トイレ１の外部に配置されるドア５の電気式操作部であり、電気式ドア開扉用ボタン１０Ａ及び電気式ドア閉扉用ボタン１０Ｂと表示部１０Ｃを有する。また、２０は制御装置、２１は入力インターフェース、２２は制御部、２３は出力インターフェース、３１はドア開扉装置、３２はドア閉扉装置、３３はドア駆動装置（電動モータ）、３４はロック解錠装置、３５はロック施錠装置、３６はロック装置である。
【００２４】
車椅子利用者が多目的トイレ１を使用する場合、車椅子利用者は多目的トイレ１のドア５の外部の下方に配置される電気式操作部１０の表示部１０Ｃで多目的トイレ１が使用されていないことを確認し、電気式ドア開扉用ボタン１０Ａを操作する。すると、ドア開扉装置３１によりドア駆動装置３３が動作して多目的トイレ１のドア５が自動で開く。多目的トイレ１内に入った車椅子利用者が、壁面６に配置されるドア５の車椅子利用者用電気式操作部８の電気式ドア閉扉用ボタン８Ｂを操作すると、ドア閉扉装置３２によりドア駆動装置３３が作動して、ドア５が閉じると同時に電気式ロックがかかり、ロック状態表示装置８Ｃには鍵がかかっていることが表示される。また、多目的トイレ１外部の表示部１０Ｃの表示により、トイレ外の他の利用者にもトイレが使用中であることが確認できる。電気式ロックに連動して、機械式ロックも施錠される。これにより、機械式ロックを操作しない車椅子利用者が安心して利用することができる。
【００２５】
車椅子利用者はトイレの使用が済むと、電気式ドア開扉用ボタン８Ａを操作する。これによりドア５の電気式ロックが解錠され、同時に機械式ロックも解錠されてドア５が開き、車椅子利用者は多目的トイレ１の外に出ることができる。最後に電気式操作部１０の電気式ドア閉扉用ボタン１０Ｂでドア５を閉める。
【００２６】
このように、車椅子利用者の場合は、従来の多目的トイレと同様にドアの開閉及びロックを自動で行うことができる。
【００２７】
一方、高齢者や視覚障害者を含む一般利用者の場合は、まず、上記した電気式操作部１０の表示部１０Ｃで多目的トイレ１が使用されていないことを確認し、電気式ドア開扉用ボタン１０Ａを操作する。すると、ドア開扉装置３１によりドア駆動装置３３が動作して、多目的トイレ１のドア５が自動で開く。多目的トイレ１内に入った一般利用者が多目的トイレ１内のドア先に配置されるドア５の一般利用者用操作部７の電気式ドア閉扉用ボタン７Ｂを操作すると、トア閉扉装置３２によりドア駆動装置３３が動作してドア５が閉じる。次いで、一般利用者は、機械式操作部７Ｃを操作して機械式ロックを施錠する。これと連動して電気式ロックも施錠され、ロック状態表示装置７Ｄ，８Ｃには鍵がかかっていることが表示される。また、多目的トイレ１外部の表示部１０Ｃの表示により、多目的トイレ１外の利用者にもトイレが使用中であることがわかる。
【００２８】
一般利用者はトイレの使用が済むと、一般利用者用操作部７の電気式ドア開扉用ボタン７Ａを操作する。この一般利用者用操作部７の操作では、ロック機構の解錠は電気式ドア開扉用ボタン７Ａの操作で自動に行われるので、ドア５の機械式ロック機構、電気式ロック機構が共に解錠され、同時にドア５が自動で開き、一般利用者は多目的トイレ１から外に出ることができる。一般利用者は、最後に電気式操作部１０の電気式閉扉用ボタン１０Ｂを操作してドア５を閉める。
【００２９】
このように、トイレ外部の電気式操作部１０のドア開閉用ボタンは車椅子利用者と一般利用者が共有する。トイレ内部には車椅子利用者用電気式操作部８と一般利用者用操作部がそれぞれ設置される。車椅子利用者用電気式操作部８では、ドア開閉用ボタン８Ａ，８Ｂの操作に伴い施錠／解錠が自動で行われるように構成されている。これにより、車椅子利用者の電気式ロック機構のかけ忘れを防止することができる。一方、一般利用者は通常利用するトイレと同じように機械式ロック操作部７Ｃを操作するので、確実に施錠されていることを容易に見てとれる。
【００３０】
機械式ロック機構と電気式ロック機構は連動しており、機械式ロック機構による施錠／解錠で電気式ロック機構も動作し、電気式ロック機構による施錠／解錠で機械式ロック機構も動作する。また、機械式ロック機構で施錠し、電気式ロック機構で解錠することも、電気式ロック機構で施錠し、機械式ロック機構で解錠することも可能である。この両方のロック機構の連動により、電気式ロック機構に不慣れな一般利用者が、機械式ロック機構のみを解錠して外に出ようとし、トイレ内に閉じ込められたと勘違いするのを防ぐことができる。さらに、機械式ロック機構では鍵がかかったことを動作音、鍵の動き（スイッチ点灯や音声案内）で確認することができるので、車椅子利用者、一般利用者共に、機械式ロック機構が未施錠で不安になることはない。
【００３１】
このように、本発明によれば、車椅子利用者も一般的利用者も多目的トイレにおけるドア開閉及びドアロックを円滑に行うことができ、混乱が生じることがない。
【００３２】
次に、本発明の第２実施例について説明する。
【００３３】
図８は本発明の第２実施例を示す多目的トイレの誤操作防止ボタン（チャイルドロック）を示す図である。
【００３４】
この図において、４１は車椅子利用者用電気式操作部８の上方に配置される誤操作防止ボタン（チャイルドロック）である。
【００３５】
車椅子利用者用電気式操作部８は、車椅子利用者を考慮して低い位置に設置されているため、乳幼児連れでトイレに入った場合、電気式ドア開扉用ボタン８Ａを子供が誤って押してしまうことが考えられる。これを防ぐために、子供の手の届き難い位置に誤操作防止ボタン４１が配置される。トイレを利用する子供連れの保護者は多目的トイレの施錠後、予め誤操作防止ボタン４１を操作しておく。これにより、子供が誤って電気式ドア開扉用ボタン８Ａを操作してもドア５は開かず、子供連れの保護者等が安心してトイレを使うことができる。なお、トイレを使用し終えたら、再度誤操作防止ボタン４１を操作して解除するようにする。
【００３６】
車両の走行によって揺れる鉄道車両内の多目的トイレでは、不意にドア開扉用ボタン８Ａにぶつかってドアが開いてしまうことも考えられるが、この誤操作防止ボタン４１はこのような場合に対しても有効である。
【００３７】
次に、本発明の第３実施例について説明する。
【００３８】
図９は本発明の第３実施例を示す多目的トイレの押し逃げ防止装置を示す図である。
【００３９】
この図において、５１はトイレの外部から見たドア、５２はそのドア５１の外枠、５３はその外枠５２に配置された押し逃げ防止用ドア通過センサである。
【００４０】
車椅子利用者用電気式ドア閉扉用ボタン８Ｂは、第１実施例で説明したように操作と同時に施錠されるため、押し逃げによって誰もいない多目的トイレ１がロックされてしまうという事態が生じる可能性がある。そこで、ドア５１の外枠５２に押し逃げ防止用ドア通過センサ５３を取付け、ドア閉扉用ボタン（図示なし）を押した後に利用者がドア５１を通過したことを検知した場合には、ドア５１が再び開くように構成した。
【００４１】
図１０は本発明の多目的トイレの内部に設けられる一般利用者用操作部の配置例とその操作状態を示す図、図１１はその多目的トイレの内部に設けられる車椅子利用者用電気式操作部の配置例とその操作状態を示す図、図１２はその多目的トイレの外部に設けられる電気式操作部の配置例とその操作状態を示す図である。
【００４２】
特に、電気式ロック機構でドアの施錠／解錠を行う場合、確実に施錠されているかどうかの確認に不安が残る。したがって、電子式ロックの状態が明確に示されることが重要である。
【００４３】
そこで、一般利用者が多目的トイレに入り、電気式ドア閉扉用ボタン６３を操作すると、図１０（ａ）に示すように、電気式ドア閉扉用ボタン６３が点灯し、ロック状態表示装置６２に「鍵がかかっています」というＬＥＤによる文字表示を行う。また、多目的トイレを出る際、電気式ドア開扉用ボタン６１を操作すると、図１０（ｂ）に示すように、電気式ドア開扉用ボタン６１が点灯し、ロック状態表示装置６２に「鍵があいています」というＬＥＤによる文字表示を行う。
【００４４】
一方、車椅子利用者が多目的トイレに入り、電気式ドア閉扉用ボタン７３を操作すると、図１１（ａ）に示すように、電気式ドア閉扉用ボタン７３が点灯するとともにロック状態表示装置７２に「鍵がかかっています」というＬＥＤによる文字表示を行う。また、多目的トイレを出る際には、電気式ドア開扉用ボタン７１を操作すると、図１１（ｂ）に示すように、電気式ドア開扉用ボタン７１が点灯するとともに、ロック状態表示装置７２に「鍵があいています」というＬＥＤによる文字表示を行う。
【００４５】
また、多目的トイレの外部に設けられる電気式操作部には、電気式ドア開扉用ボタン８１及び電気式ドア閉扉用ボタン８２を配置する。それぞれのボタン８１，８２は、図１２に示すように、操作によって点灯するように構成されている。また、表示部８３が配置されており、多目的トイレの外にいる利用者にもトイレが使用中であることが確認できる。
【００４６】
なお、本発明は上記実施例に限定されるものではなく、本発明の趣旨に基づき種々の変形が可能であり、これらを本発明の範囲から排除するものではない。
【産業上の利用可能性】
【００４７】
本発明の多目的トイレのドア開閉及びドアロックシステムは、車椅子利用者も高齢者や視覚障害者を含む一般利用者も多目的トイレにおけるドア開閉及びドアロックを円滑に行うことができるトイレとして利用可能である。
【符号の説明】
【００４８】
１    多目的トイレ
２    多目的トイレの便器
３    多目的トイレの手すり
４    多目的トイレの水タンク
５    多目的トイレのドア
６    多目的トイレの壁面
７    一般利用者用操作部
７Ａ，８Ａ，１０Ａ，６１，７１，８１    電気式ドア開扉用ボタン
７Ｂ，８Ｂ，１０Ｂ，６３，７３，８２    電気式ドア閉扉用ボタン
７Ｃ    機械式ロック操作部
７Ｄ，８Ｃ，６２，７２    ロック状態表示装置
８    車椅子利用者用操作部
９    案内プレート
１０    電気式操作部
１０Ｃ，８３    表示部
２０    制御装置
２１    入力インターフェース
２２    制御部
２３    出力インターフェース
３１    ドア開扉装置
３２    ドア閉扉装置
３３    ドア駆動装置（電動モータ）
３４    ロック解錠装置
３５    ロック施錠装置
３６    ロック装置
４１    誤操作防止ボタン（チャイルドロック）
５１    トイレの外部から見たドア
５２    ドアの外枠
５３    押し逃げ防止用ドア通過センサ
【図１】
2010236253.tif 000003
【図２】
2010236253.tif 000004
【図３】
2010236253.tif 000005
【図４】
2010236253.tif 000006
【図８】
2010236253.tif 000007
【図９】
2010236253.tif 000008
【図１０】
2010236253.tif 000009
【図１１】
2010236253.tif 000010
【図１２】
2010236253.tif 000011
【図５】
2010236253.tif 000012
【図６】
2010236253.tif 000013
【図７】
2010236253.tif 000014